(57)【要約】【課題】コンビニエンスストアの店頭等の公共の回収場所に気軽に設置でき、廃棄またはリサイクルする容器を簡単な設備で効率的に減容化し、回収効率を向上することができる容器回収ボックスおよび容器回収方法を提供する。【解決手段】本発明の容器回収ボックス１は、ＰＥＴボトル５の内部方向への流体の流通を規制する逆止弁キャップ２８を有するＰＥＴボトル５を投入するための投入口７を有し、上記投入口７から投入されたＰＥＴボトル５を蓄積するための筐体３と、上記筐体３内の気圧を減圧する真空ポンプ６０ａと、それにより減圧された筐体３内の気圧を大気圧に開放する開放弁６０ｃと、上記筐体３内にＰＥＴボトル５が収容された状態で上記真空ポンプ６０ａを駆動制御して上記筐体３内を減圧し、所定気圧に達したときに上記開放弁６０ｃを駆動制御して上記筐体３内を大気圧に開放する制御回路６１とを備える。【選択図】図３
2005060065.tif 000002
【特許請求の範囲】
【請求項１】
廃棄またはリサイクルする容器を回収する容器回収ボックスであって、
上記容器の内部方向への流体の流通を規制する逆止弁を有する逆止弁付容器を投入するための投入口を有し、上記投入口から投入された逆止弁付容器を蓄積するための筐体と、
上記筐体内の気圧を減圧する減圧手段と、
上記減圧手段により減圧された筐体内の気圧を大気圧に開放する開放手段と、
上記筐体内に逆止弁付容器が収容された状態で上記減圧手段を駆動制御して上記筐体内を減圧し、所定気圧に達したときに上記開放手段を駆動制御して上記筐体内を大気圧に開放する制御手段とを備えたことを特徴とする容器回収ボックス。
【請求項２】
上記筐体内に蓄積された逆止弁付容器の量を計測する計測手段を備え、
上記計測手段によって計測された逆止弁付容器の量が所定量に達したときに上記減圧手段の駆動制御を開始するようになっている請求項１記載の容器回収ボックス。
【請求項３】
上記筐体内に蓄積された逆止弁付容器を検知する検知手段を備え、
上記検知手段が上記筐体内に蓄積された逆止弁付容器を検知したときに上記減圧手段の駆動制御を開始するようになっている請求項１記載の容器回収ボックス。
【請求項４】
上記筐体内に上記投入口から投入された逆止弁付容器を収容する回収袋を配置した請求項１〜３のいずれか一項に記載の容器回収ボックス。
【請求項５】
上記制御手段の制御を使用者が開始させるための操作手段と、
上記減圧手段の駆動制御の後、上記筐体内に蓄積された逆止弁付容器が最終設定量に到達しているか否かを判別する判別手段とを備え、
上記回収袋は、上記回収袋の内部方向への流体の流通を規制する逆止弁を有する密閉可能な逆止弁付回収袋であり、
上記逆止弁付回収袋は、上記減圧手段によって、上記逆止弁付回収袋の逆止弁を介して上記筐体内の気圧が減圧されるように配置され、
上記制御手段は、上記判別手段が逆止弁付容器が最終設定量に到達していると判別した場合、上記操作手段の操作に応じて上記減圧手段および上記開放手段を制御する請求項１〜４のいずれか一項に記載の容器回収ボックス。
【請求項６】
上記判別手段が上記筐体内に蓄積された逆止弁付容器が最終設定量に到達したと判別したときに回収に関する情報を報知する報知手段を備えている請求項５記載の容器回収ボックス。
【請求項７】
廃棄またはリサイクルする容器を回収する回収方法であって、
上記容器の内部方向への流体の流通を規制する逆止弁を有する逆止弁付容器を投入するための投入口から投入された逆止弁付容器を蓄積し、
上記筐体内に逆止弁付容器が収容された状態で上記筐体内の気圧を減圧し、
所定気圧に達したときに、減圧された筐体内の気圧を大気圧に開放することを特徴とする容器回収方法。
【発明の詳細な説明】
【技術分野】
【０００１】
本発明は、例えば、コンビニエンスストア、ショッピングセンタ、駅、野球場等の公共の場に設置され、ＰＥＴボトル等の容器を回収する容器回収ボックスおよび容器回収方法に関するものである。
【背景技術】
【０００２】
近年、多種飲料水の容器としてＰＥＴボトルや缶等の容器が使用されている。このような容器は、廃棄またはリサイクルするために、市町村や各事業者の回収員が回収し、各地域の工場で搬送し、大型の減容化装置で容器を圧縮して容積を減らし、取り扱いやすいように梱包（減容化）されている。しかし、これらの容器を回収する際は、容器の大きさが問題となり、これらを収束する回収袋が大変かさばることになる。このため、容器は、市町村や各事業者が回収する前に、使用者によって足や手で圧潰されている。
【０００３】
しかし、容器には反発弾性や復元性が備わるため、容器を潰す作業には大変な力が必要となる。成人男性は容器を容易に潰せても、女性、老人、子供は容器を潰す作業は困難を要することになる。また、容器を踏みつけて潰そうとする行為により、老人等は足を痛めたり、怪我を被ることにもなりかねないため、容器を潰す際に人の力を必要としない器具の提供が必要とされる。さらに、力で潰したとしても復元性により容積が少し戻ることから、数が多くなると復元による容積の回復も無視できなくなり、力による減容化にはおのずと限界があった。
そこで、掃除機でペットボトル内の空気を吸引し、ペットボトルを潰す器具が提案されている（例えば、下記の特許文献１参照。）。
【０００４】
また、多数の廃ペットボトル収納用の投入口及び減容後の廃ペットボトル取出用の取出口を有する減圧容器内に、その内容積を変更して移動可能な収縮板を設け、かつ上記変更する内容積空間の中を真空吸引または大気圧に開放可能な真空吸引配管を配設した真空減容処理装置が提案されている（例えば、下記の特許文献２参照。）。
【特許文献１】特開２００２−１２６８９８号公報
【特許文献２】特開平９−２４８８２７号公報
【発明の開示】
【発明が解決しようとする課題】
【０００５】
しかしながら、上記のような器具は、掃除機であれば家庭に備えられている掃除機を用いなければ容器を圧縮することができないため、公共の場で容器を圧縮することが難しい。また、使用者は、掃除機を用いて、一つ一つ手作業で容器を圧縮しなければならないため、時間と手間がかかり、非常に煩わしく、回収効率が悪いという問題がある。
【０００６】
また、上記のような真空減容処理装置であれば、複雑な機構を用いることになるため大型化し、リサイクル工場のような施設には適しているものの、コンビニエンスストアの店頭や駅のような公共の回収場所に設置することが難しく、使用者が気軽に利用することができないという問題がある。
【０００７】
本発明は、上記のような事情に鑑みなされたもので、コンビニエンスストアの店頭等の公共の回収場所に気軽に設置でき、廃棄またはリサイクルする容器を簡単な設備で効率的に減容化し、回収効率を向上することができる容器回収ボックスおよび容器回収方法の提供を目的とする。
【課題を解決するための手段】
【０００８】
上記目的を達成するため、本発明の容器回収ボックスは、廃棄またはリサイクルする容器を回収する容器回収ボックスであって、上記容器の内部方向への流体の流通を規制する逆止弁を有する逆止弁付容器を投入するための投入口を有し、上記投入口から投入された逆止弁付容器を蓄積するための筐体と、上記筐体内の気圧を減圧する減圧手段と、上記減圧手段により減圧された筐体内の気圧を大気圧に開放する開放手段と、上記筐体内に逆止弁付容器が収容された状態で上記減圧手段を駆動制御して上記筐体内を減圧し、所定気圧に達したときに上記開放手段を駆動制御して上記筐体内を大気圧に開放する制御手段とを備えたことを要旨とする。
【０００９】
また、本発明の容器回収方法は、廃棄またはリサイクルする容器を回収する回収方法であって、上記容器の内部方向への流体の流通を規制する逆止弁を有する逆止弁付容器を投入するための投入口から投入された逆止弁付容器を蓄積し、上記筐体内に逆止弁付容器が収容された状態で上記筐体内の気圧を減圧し、所定気圧に達したときに、減圧された筐体内の気圧を大気圧に開放することを要旨とする。
【発明の効果】
【００１０】
すなわち、本発明の容器回収ボックスでは、上記筐体は、上記容器の内部方向への流体の流通を規制する逆止弁を有する逆止弁付容器を投入するための投入口を有し、上記投入口から投入された逆止弁付容器を蓄積する。上記制御手段は、上記筐体内に逆止弁付容器が収容された状態で上記減圧手段を駆動制御して上記筐体内を減圧し、所定気圧に達したときに上記開放手段を駆動制御して上記筐体内を大気圧に開放する。
【００１１】
したがって、上記筐体は、上記投入口から投入された逆止弁付容器を蓄積することができるため、上記筐体の容積を有効に活かすことで、多量の逆止弁付容器を効率よくためて、上記筐体内に逆止弁付容器が満杯になるまで回収ボックスを有効に利用することができ、使用者の利便性の向上を図ることが可能となる。また、上記制御手段は、上記筐体内に逆止弁付容器が収容された状態で上記減圧手段を駆動制御して上記筐体内を減圧し、所定気圧に達したときに上記開放手段を駆動制御して上記筐体内を大気圧に開放するため、筐体内の減圧と開放により一度に多くの逆止弁付容器を圧縮することができる。したがって、投入口に逆止弁を有する逆止弁付容器を投入するだけで自動的に逆止弁付容器が圧縮されるため、使用者が手や足などを使って一つ一つ圧縮することなく、手軽に容器を減容化し、廃棄やリサイクルに貢献することができる。また、容器は大気圧で押し潰され、逆止弁で空気の流入が阻止されていることから、潰れた状態からの復元が少なく、減容化の効果が持続する。そして、このように圧縮することで、廃棄またはリサイクルする容器の輸送効率や回収効率が向上し、回収作業にともなう人件費、リサイクルコスト、エネルギーを節約することができる。これにより、容器を保管するスペースを確保し長期保管もし易くなる。さらに、大気圧によって圧縮することができるため、複雑な機構を用いることなく容器を減容化して回収することができ、回収ボックスの小型化、低コスト化を実現することが可能となる。また、減圧する際に、容器に残った水分が気化されて排気されるため、容器を乾燥状態で保管することが可能となり、極めて衛生的である。
【００１２】
また、この場合において、廃棄またはリサイクルする容器に逆止弁が設けられていない場合には、その容器に逆止弁を設け、上記投入口に入れるだけで圧縮することができるため、手や足などで一つ一つ圧縮する煩わしさを解消することができる。また、人が多く集まる公共の場に設置することで、環境美化にも貢献できる。
【００１３】
また、本発明の容器回収方法では、上記筐体内に逆止弁付容器が収容された状態で上記筐体内の気圧を減圧し、所定気圧に達したときに、減圧された筐体内の気圧を大気圧に開放する。
【００１４】
このため、筐体内の減圧と開放により一度に多くの逆止弁付容器を圧縮することができる。したがって、投入口に逆止弁を有する逆止弁付容器を投入するだけで自動的に逆止弁付容器が圧縮されるため、使用者が手や足などを使って一つ一つ圧縮することなく、手軽に容器を減容化し、廃棄やリサイクルに貢献することができる。また、容器は大気圧で押し潰され、逆止弁で空気の流入が阻止されていることから、潰れた状態からの復元が少なく、減容化の効果が持続する。そして、このように圧縮することで、廃棄またはリサイクルする容器の輸送効率や回収効率が向上し、回収作業にともなう人件費、リサイクルコスト、エネルギーを節約することができる。これにより、容器を保管するスペースを確保し長期保管もし易くなる。さらに、大気圧によって圧縮することができるため、複雑な機構を用いることなく容器を減容化して回収することができ、回収ボックスの小型化、低コスト化を実現することが可能となる。また、減圧する際に、容器に残った水分が気化されて排気されるため、容器を乾燥状態で保管することが可能となり、極めて衛生的である。
【００１５】
本発明において、上記筐体内に蓄積された逆止弁付容器の量を計測する計測手段を備え、上記計測手段によって計測された逆止弁付容器の量が所定量に達したときに上記減圧手段の駆動制御を開始するようになっている場合には、上記制御手段は、逆止弁付容器の量が所定量に達すると上記減圧手段を駆動制御して上記筐体内を減圧する。すなわち、上記筐体内に蓄積された逆止弁付容器の量に応じて自動的に圧縮を開始して減容化することができるため、所定量が多量である場合には、一度に多くの逆止弁付容器を圧縮することができる。
【００１６】
本発明において、上記筐体内に蓄積された逆止弁付容器を検知する検知手段を備え、上記検知手段が上記筐体内に蓄積された逆止弁付容器を検知したときに上記減圧手段の駆動制御を開始するようになっている場合には、上記制御手段は、上記検知手段が上記筐体内に蓄積された逆止弁付容器を検知すると上記減圧手段を駆動制御して上記筐体内を減圧し、所定気圧に達したときに上記開放手段を駆動制御して上記筐体内を大気圧に開放する。すなわち、上記検知手段の検知に応じて自動的に圧縮を開始して減容化することができるため、上記筐体内で満杯になる逆止弁付容器を検知するように上記検知手段が設けられている場合には、一度に多くの逆止弁付容器を圧縮することができる。
【００１７】
本発明において、上記筐体内に上記投入口から投入された逆止弁付容器を収容する回収袋を配置した場合には、逆止弁付容器は筐体内で回収袋に収容された状態で減容化され、圧縮された逆止弁付容器を効率よく衛生的に回収することができる。
【００１８】
本発明において、上記制御手段の制御を使用者が開始させるための操作手段と、上記減圧手段の駆動制御の後、上記筐体内に蓄積された逆止弁付容器が最終設定量に到達しているか否かを判別する判別手段とを備え、上記回収袋は、上記回収袋の内部方向への流体の流通を規制する逆止弁を有する密閉可能な逆止弁付回収袋であり、上記逆止弁付回収袋は、上記減圧手段によって、上記逆止弁付回収袋の逆止弁を介して上記筐体内の気圧が減圧されるように配置され、上記制御手段は、上記判別手段が逆止弁付容器が最終設定量に到達していると判別した場合、上記操作手段の操作に応じて上記減圧手段および上記開放手段を制御する場合には、圧縮された逆止弁付容器が収容された逆止弁付回収袋をさらに圧縮することができるため、回収員等は、回収された容器を回収袋に密封してさらに減容化でき、回収した容器の保管スペースがさらに小さくでき取り扱いも容易になるうえ、衛生的で、長期保管も容易となる。
【００１９】
また、この場合において、判別手段は、上記減圧手段の駆動制御の後、上記筐体内に蓄積された逆止弁付容器が最終設定量に到達しているか否かを判別することができるため、最終設定量を上記回収袋の収容限度に設定することにより、上記回収袋を有効に活かすことができ、一度に多くの容器を回収することができる。また、上記回収袋は、上記回収袋の内部方向への流体の流通を規制する逆止弁を有する密閉可能な逆止弁付回収袋であり、上記逆止弁付回収袋は、上記減圧手段によって、上記逆止弁付回収袋の逆止弁を介して上記筐体内の気圧が減圧されるように配置され、上記制御手段は、上記判別手段が逆止弁付容器が最終設定量に到達していると判別した場合、上記操作手段の操作に応じて上記減圧手段および上記開放手段を制御する。したがって、上記逆止弁付回収袋が収容限度に到達して満杯になった場合、回収する前に回収員等は、逆止弁付回収袋を密閉し、密閉したことを確認した後に操作手段を操作することができる。この操作により、圧縮された逆止弁付容器を収容する逆止弁付回収袋を圧縮することができ、さらに逆止弁付容器の回収効率を向上させることができる。
【００２０】
本発明において、上記判別手段が上記筐体内に蓄積された逆止弁付容器が最終設定量に到達したと判別したときに回収に関する情報を報知する報知手段を備えている場合には、回収員等は、上記逆止弁付回収袋を密閉し、上記操作手段を操作するタイミングを知ることができ、効率よく回収作業を行なうことができる。
【発明を実施するための最良の形態】
【００２１】
つぎに、本発明を実施するための最良の形態を説明する。以下の説明は、密閉可能な逆止弁付回収袋を使用して容器を回収し、筐体内を減圧することにより容器の減容化を実現した例を示す。なお、本発明の容器回収ボックスは、使用済みＰＥＴボトルや空き缶等の容器を回収する容器回収ボックスであるが、以下の説明は「ＰＥＴボトル」を回収するものとして説明する。
【実施例１】
【００２２】
図１は、本発明の第１の実施例の回収ボックスの外観を示す斜視図である。
【００２３】
容器回収ボックス１の全体を形成している筐体３には、その上部に、容器回収ボックス１内に後述の逆止弁キャップ２８を有するＰＥＴボトル５を投入するための投入口７が形成されている。上記投入口７から投入されたＰＥＴボトル５は、上記筐体３内に蓄積されるようになっている。このように、上記筐体３の容積を有効に活かすことで、多量のＰＥＴボトル５を効率よくためることができる。これにより、上記筐体３内にＰＥＴボトル５が満杯になるまで回収ボックスを有効に利用することができ、使用者の利便性の向上を図ることが可能となる。
【００２４】
上記投入口７は、気密ゴム９を有する上面扉１１を閉じることによって密閉されるようになっている。投入口７の近傍には、上面扉１１の開閉を検知する上面扉開閉センサ１３が設けられている。なお、図１は、上面扉１１が開いた状態である。
【００２５】
上記筐体３の前面には、圧縮されたＰＥＴボトル５を取り出すための取出口１５が形成されている。上記取出口１５は、気密ゴム１７を有する前面扉１９を閉じることによって密閉されるようになっている。上記取出口１５の近傍には、前面扉１９の開閉を検知する前面扉開閉センサ２１が設けられている。なお、図１は、前面扉１９が開いた状態である。
【００２６】
上記筐体３の前面の上部に形成された傾斜面には、回収に関する情報等を報知する報知手段としての表示装置２３が設けられている。表示装置２３は、種々の表示を行ない、使用者や作業員等が表示装置２３に表示される内容を目視確認できるように配置されている。その表示装置２３の右側には、後述の真空ポンプ６０ａを起動させるための真空ポンプ起動スイッチ２５が設けられている。
【００２７】
上記容器回収ボックス１（筐体３）内には、ＰＥＴボトル５をある程度まで貯めておくための収容箱２７が設置されている。この収容箱２７は上面に開口を有し、投入口７に投入されたＰＥＴボトル５が上面開口から投入されて蓄積されるように設置される。収容箱２７は、前面の取出口１５から筐体３内に出し入れ可能である。このため、回収員等は、圧縮されたＰＥＴボトル５を容易に取り出すことができるようになっている。なお、図示において、収容箱２７は、やや筐体３の前面側に設置されている。
【００２８】
つぎに、図２を参照して、上記逆止弁キャップ２８について説明する。
【００２９】
上記ＰＥＴボトル５の逆止弁キャップ２８は、ＰＥＴボトル５の外部方向に流体（気体や液体）を通す弁である。具体的には、容器回収ボックス１内にＰＥＴボトル５が蓄積されている場合において、後述の真空ポンプ６０ａが容器回収ボックス１内の空気を真空吸引して減圧すると、ＰＥＴボトル５の内部の空気を外部に出し、大気開放されるとＰＥＴボトル５の内部に空気が入らないようにすることができる逆止弁としての機能を有する蓋である。
【００３０】
図２（Ａ）は、逆止弁キャップ２８の断面図を示す。
【００３１】
この例では、図２（Ａ）に示すように、逆止弁キャップ２８は、その中央部に空気を通す通路２９が形成されている。この通路２９の近傍には、ＰＥＴボトル５の外部方向に流体を通す弁としての機能を有するヒンジ蓋３１が設けられている。ヒンジ蓋３１は、通路２９を外側から覆ってＰＥＴボトル５内を密閉することができ、ヒンジ部を支点として通路２９を開閉するようになっている。
【００３２】
容器回収ボックス１内にＰＥＴボトル５が蓄積されている場合において容器回収ボックス１内が真空吸引されて減圧されると、それに伴い、上記ヒンジ蓋３１は、図において二点鎖線で示すように通路２９を開き、ＰＥＴボトル５の内部の空気が外部に排出されて容器回収ボックス１内と同様に減圧される。この減圧により、ＰＥＴボトル５内に残った水分は気化して排気される。その後、容器回収ボックス１内が大気圧に開放されると、通路２９はヒンジ蓋３１により閉鎖され、ＰＥＴボトル５内を密閉するようになっている。これにより、ＰＥＴボトル５は、大気圧により圧縮されて潰されるようになっている。
【００３３】
未使用のＰＥＴボトル５には、その内部に入れられた飲料水等がＰＥＴボトル５の外部に出ないようにするための栓３３が設けられている。栓３３は、取り付け取り外しが可能であり、取り付けられた状態でヒンジ蓋３１が開かないように押さえている。そして、容器回収ボックス１に投入する場合には取り外される。
【００３４】
ここで、図２（Ａ）に示す逆止弁キャップ２８に代えて、図２（Ｂ）に示す逆止弁キャップ２８であってもよい。
【００３５】
図２（Ｂ）に示すように、逆止弁キャップ２８の通路２９には、その上方に位置し、通路２９を覆う蓋部材３５と、通路２９の下方に位置して弁体４１を抜け止めする抜止部材３７と、蓋部材３５と抜止部材３７を支持する支持部材３９とを備えた弁体４１が設けられている。抜止部材３７には、ＰＥＴボトル５の内部の空気を外部に出すための孔４３が設けられている。
【００３６】
上記弁体４１は、容器回収ボックス１内にＰＥＴボトル５が蓄積されている場合において容器回収ボックス１内が真空吸引されると、ＰＥＴボトル５の外部方向に移動する。このとき、抜止部材３７が通路２９に引っかかるとともに、ＰＥＴボトル５の内部の空気が孔４３から吸引され排出される。そして、弁体４１は、容器回収ボックス１内が大気圧に開放されると、ＰＥＴボトル５の内部方向に移動する。このとき、蓋部材３５が通路２９に引っかかり、通路２９を密閉するとともに、ＰＥＴボトル５が大気圧により圧縮されるようになっている。
【００３７】
図２（Ａ）および図２（Ｂ）に示す逆止弁キャップ２８は、ＰＥＴボトル５の一部であるが、これに限られず、上記逆止弁キャップ２８が設けられていないＰＥＴボトル５に取り付け可能であってもよい。すなわち、ＰＥＴボトル５を回収ボックスに投入する前に逆止弁キャップ２８をＰＥＴボトル５に取り付けるようにしてもよい。この逆止弁キャップ２８の取り付けは、手動であっても自動であってもよい。
【００３８】
また、上記逆止弁キャップ２８に限られず、図２（Ｃ）に示すように上記逆止弁の機能を有するものであってもよい。
【００３９】
図２（Ｃ）は、上記逆止弁キャップ２８に代えてＰＥＴボトル５の飲み口を被覆するようにゴム等からなる膜状の弾性部材４５を装着した例を示す。
【００４０】
図２（Ｃ）に示すように、弾性部材４５の中央部には、ＰＥＴボトル５の内部の空気を外部に出し、ＰＥＴボトル５の内部に空気が入らないようにするための孔４７が設けられている。
【００４１】
上記孔４７は、容器回収ボックス１内にＰＥＴボトル５が蓄積されている場合において容器回収ボックス１内が真空吸引されると弾性部材４５がＰＥＴボトル５の外部方向に吸引されて膨張し、開口する。このとき、ＰＥＴボトル５の内部の空気が孔４７から吸引される。そして、容器回収ボックス１内が大気圧に開放されると弾性部材４５がＰＥＴボトル５の内部方向に吸引される。このとき、弾性部材４５がＰＥＴボトル５の口の部分でくしゃくしゃになり、弾性部材４５が内部に膨張できず、孔４７が開口しない。これにより、ＰＥＴボトル５の内部に空気が入らないようになり、ＰＥＴボトル５が圧縮されるようになっている。
【００４２】
つぎに、図３を参照して、容器回収ボックス１の内部について説明する。
【００４３】
上記収容箱２７には、投入されたＰＥＴボトル５を収容する回収袋５１が上面開放状に設置されている。このように、上記筐体３内に上記投入口７から投入されたＰＥＴボトル５を収容する回収袋５１を配置すると、圧縮されたＰＥＴボトル５をそのまま回収袋５１ごと取り出して、その後は新しい回収袋５１を設置すれば良いことから、回収作業が極めて行ないやすくなる。
【００４４】
上記回収袋５１は、回収袋５１を密閉するための密閉手段であるファスナ５２（図１２参照）が開口部に設けられ、底部近傍には、回収袋５１の外部方向に流体を通す逆止弁（後述の遮断部材５３ａ）を含む排気口５３が設けられている。排気口５３は、後述の気圧昇降装置５５によって回収袋５１の中が真空引きされるように後述の吸引口５５ａと接続されている。ファスナ５２が開いた状態で収容箱２７にセットされた回収袋５１に、ＰＥＴボトル５が収容された状態で、回収袋５１内が真空吸引されると、上述したようにＰＥＴボトル５内が逆止弁キャップ２８等を介して減圧され、その後の筐体３内の大気開放により押し潰されて減容化される。一方、ファスナ５２が閉じられて密閉された回収袋５１の中が真空吸引されると、回収袋５１の中の空気が外部に排出されて減圧され、回収袋５１ごと大気圧で押し潰されて減容化される。排気口５３から吸引口５５ａを引き抜くと、逆止弁が作用して回収袋５１の中には空気が入らないので減容状態が維持される。
【００４５】
すなわち、上記回収袋５１は、上記回収袋５１の内部方向への空気の流通を規制する逆止弁を有する密閉可能な逆止弁付回収袋であり、ファスナ５２が開いた状態では、上記真空ポンプ６０ａによって、上記回収袋５１の逆止弁を介して上記筐体３内の気圧が減圧されるように配置されている。
【００４６】
上記容器回収ボックス１の背面側（図示の左側）の下方には、容器回収ボックス１内の空気等の気体を吸い出してその真空度を高める気圧昇降装置５５が設けられている。気圧昇降装置５５は、回収袋５１の中の空気を吸引する吸引口５５ａと、吸引口５５ａから吸引した空気の排出と外部の空気を取り入れる排出吸引口５５ｂとを有する。なお、気圧昇降装置５５は、真空引きの際に水分を内部に取り入れない構造になっている。
【００４７】
この例では、気圧昇降装置５５の吸引口５５ａは、回収袋５１の排気口５３と接続され、ファスナ５２が開いて回収袋５１が開口した状態では、排気口５３から空気を吸い出して容器回収ボックス１内の真空度を高めるようになっている。一方、ファスナ５２が閉じられて回収袋５１が密閉されていると、気圧昇降装置５５は、回収袋５１の内部の真空度を高めることができる。
【００４８】
上記収容箱２７の下には、収容箱２７に蓄積されたＰＥＴボトル５の荷重を計測する計測手段としての荷重計測装置５７が設けられている。容器回収ボックス１の内部には、容器回収ボックス１内の真空度を計測する真空度計測装置５９が設けられている。
【００４９】
つぎに、図４を参照して、上記気圧昇降装置５５について説明する。
【００５０】
上記気圧昇降装置５５は、真空ポンプ６０ａと、開閉弁６０ｂと、開放弁６０ｃとを備える。上記真空ポンプ６０ａは、上記筐体３内の気圧を減圧する本発明の減圧手段としての機能を果たし、吸引口５５ａから筐体３内の空気を吸引する。上記開閉弁６０ｂは、排出吸引口５５ｂから真空ポンプ６０ａに空気が流れないように弁を閉じる。また、上記開閉弁６０ｂは、真空ポンプ６０ａが起動する場合には、排出吸引口５５ｂへ空気が流れるように弁を開ける。上記開放弁６０ｃは、上記真空ポンプ６０ａにより減圧された筐体３内の気圧を大気圧に開放する本発明の開放手段としての機能を果たし、排出吸引口５５ｂから上記筐体３内に空気が流れるように弁を開ける。また、上記開放弁６０ｃは、真空ポンプ６０ａが起動する場合には、排出吸引口５５ｂから筐体３内に空気が流れないように弁を閉じるようになっている。
【００５１】
つぎに、図５を参照して、上記気圧昇降装置５５の吸引口５５ａと上記回収袋５１の排気口５３との関係について説明する。図５（Ａ）は、上記吸引口５５ａが上記排気口５３に嵌め込まれていない状態を示し、図５（Ｂ）は、上記吸引口５５ａが上記排気口５３に嵌め込まれている状態を示す。
【００５２】
上記排気口５３は、その内面に、吸引口５５ａに流体を通す弁としての機能を有する逆止弁としての遮断部材５３ａが設けられている。遮断部材５３ａは、上記排気口５３の内面に向き合うように設けられて、回収袋５１側の一端が上記排気口５３の内面と接続され、出口側の自由端が他方の遮断部材５３ａと接触し、上記排気口５３内を塞いで空気の逆流を防ぐようになっている。
【００５３】
図５（Ａ）に示すように、各遮断部材５３ａは、上記吸引口５５ａが上記排気口５３に嵌め込まれていない場合は、上記排気口５３内を塞ぐように出口側で合わさって、回収袋５１内への空気の流れを遮断するようになっている。
【００５４】
図５（Ｂ）に示すように、上記吸引口５５ａが上記排気口５３に嵌め込まれている場合には、各遮断部材５３ａは、上記吸引口５５ａによって上記排気口５３の内面方向に押し広げられ、上記回収袋５１内から上記吸引口５５ａに向かって空気が流れるようになっている。
【００５５】
つぎに、図６を参照して、容器回収ボックス１のシステム構成について説明する。
【００５６】
図６は、容器回収ボックス１における制御処理動作を制御する制御回路６１と、制御回路６１に電気的に接続する周辺装置とを含む回路構成を示す。
【００５７】
上記制御回路６１は、予め設定されたプログラムに従って制御動作を行なうＣＰＵ６３と、記憶手段であるＲＯＭ６５及びＲＡＭ６７を含む。
【００５８】
上記周辺装置として、上面開閉センサ１３、前面開閉センサ２１、荷重計測装置５７、真空度計測装置５９、真空ポンプ起動スイッチ２５、荷重設定スイッチ７１、真空度設定スイッチ７３、気圧昇降装置５５、表示装置２３が制御回路６１に電気的に接続されている。なお、各周辺装置等へ電力を供給する電源回路については省略している。
【００５９】
上記荷重設定スイッチ７１は、気圧昇降装置５５の起動の契機となる荷重（設定荷重）と、回収作業への移行の契機となる荷重（最終設定荷重）とを設定するためのスイッチである。真空度設定スイッチ７３は、気圧昇降装置５５の真空吸引の停止の契機となる真空度（設定真空度）を設定するためのスイッチである。
【００６０】
上記ＣＰＵ６３は、気圧昇降装置５５を起動させる制御指令である真空ポンプ起動信号、気圧昇降装置５５の作動を停止させる制御指令である真空ポンプ停止信号、気圧昇降装置５５の大気弁を開放するための制御指令である大気弁開放信号を気圧昇降装置５５に送信する。すなわち、真空ポンプ起動信号は、荷重計測装置５７により計測された荷重が設定荷重に到達した場合に送信され、真空ポンプ停止信号は、真空度計測装置５９により計測された真空度が設定真空度になった場合に送信され、大気弁開放信号は、真空ポンプ停止信号を送信した場合に送信される。
【００６１】
上記気圧昇降装置５５は、ＣＰＵ６３から送信された真空ポンプ起動信号を受信すると起動し、容器回収ボックス１内の真空度を高め、真空ポンプ停止信号を受信すると動作を停止する。そして、大気弁開放信号を受信すると容器回収ボックス１内を大気圧に開放する。
【００６２】
すなわち、本実施例では、上記制御回路６１は、上記荷重計測装置５７によって計測されたＰＥＴボトル５の荷重が設定荷重に達したときに真空ポンプ６０ａの駆動制御を開始して上記筐体３内を減圧し、所定気圧に達したときに上記開放弁６０ｃを駆動制御して上記筐体３内を大気圧に開放するため、筐体３内の減圧と開放により一度に多くのＰＥＴボトル５を圧縮することができる。
【００６３】
したがって、上記投入口７に逆止弁キャップ２８を有するＰＥＴボトル５を投入するだけで自動的にＰＥＴボトル５が圧縮されるため、使用者が手や足などを使って一つ一つ圧縮することなく、手軽にＰＥＴボトル５を減容化し、廃棄やリサイクルに貢献することができる。また、容器は大気圧で押し潰され、逆止弁で空気の流入が阻止されていることから、潰れた状態からの復元が少なく、減容化の効果が持続する。そして、このように圧縮することで、廃棄またはリサイクルするＰＥＴボトル５の輸送効率や回収効率が向上し、回収作業にともなう人件費、リサイクルコスト、エネルギーを節約することができる。これにより、ＰＥＴボトル５を保管するスペースを確保し長期保管もし易くなる。さらに、大気圧によって圧縮することができるため、複雑な機構を用いることなくＰＥＴボトル５を減容化して回収することができ、容器回収ボックス１の小型化、低コスト化を実現することが可能となる。また、減圧する際に、ＰＥＴボトル５に残った水分が気化されて排気されるため、ＰＥＴボトル５を乾燥状態で保管することが可能となり、極めて衛生的である。
【００６４】
また、この場合において、廃棄またはリサイクルするＰＥＴボトル５に逆止弁キャップ２８が設けられていない場合には、そのＰＥＴボトル５に逆止弁キャップ２８を装着し、上記投入口７に入れるだけでＰＥＴボトル５を圧縮することができるため、手や足などで一つ一つ圧縮する煩わしさを解消することができる。また、人が多く集まる公共の場に設置することで、環境美化にも貢献できる。
【００６５】
また、上記制御回路６１は、ＰＥＴボトル５の量（荷重）が所定量（設定重量）に達すると上記真空ポンプ６０ａを駆動制御して上記筐体３内を減圧する。すなわち、上記筐体３内に蓄積されたＰＥＴボトル５の量に応じて自動的に圧縮を開始して減容化することができるため、所定量が多量である場合には、一度に多くのＰＥＴボトル５を圧縮することができる。
【００６６】
また、上記ＣＰＵ６３は、上記真空ポンプ６０ａの駆動制御の後、上記筐体３内に蓄積されたＰＥＴボトル５が最終設定量に到達しているか否かを判別する判別手段としての機能を果たす。上記制御回路６１は、判別手段としてのＣＰＵ６３によって最終設定量に到達していると判別された場合、上記真空ポンプ起動スイッチ２５の操作に応じて上記真空ポンプ６０ａおよび上記開放弁６０ｃを制御する場合には、圧縮されたＰＥＴボトル５が収容された回収袋５１をさらに圧縮することができるため、回収員等は、回収されたＰＥＴボトル５を回収袋５１に密封してさらに減容化でき、回収したＰＥＴボトル５の保管スペースがさらに小さくでき、取り扱いも容易になるうえ、衛生的で、長期保管も容易となる。
【００６７】
また、上記ＣＰＵ６３は、上記真空ポンプ６０ａの駆動制御の後、上記筐体３内に蓄積されたＰＥＴボトル５が最終設定量に到達しているか否かを判別することができるため、最終設定量を上記回収袋５１の収容限度に設定することにより、上記回収袋５１を有効に活かすことができ、一度に多くのＰＥＴボトル５を回収することができる。
【００６８】
また、上記のように、上記回収袋５１は、上記回収袋５１の内部方向への流体の流通を規制する逆止弁を有する密閉可能な逆止弁付回収袋であり、上記ＰＥＴボトル５は、上記真空ポンプ６０ａによって、上記回収袋５１の逆止弁を介して上記筐体３内の気圧が減圧されるように配置されている。そして、上記制御回路６１は、上記ＣＰＵ６３によって最終設定量に到達していると判別されると、上記真空ポンプ起動スイッチ２５の操作に応じて上記真空ポンプ６０ａおよび上記開放弁６０ｃを制御する。したがって、上記回収袋５１が収容限度に到達して満杯になると、回収する前に回収員等は、上記回収袋５１を密閉し、密閉したことを確認した後に上記真空ポンプ起動スイッチ２５を操作することができる。この操作により、圧縮されたＰＥＴボトル５を収容する回収袋５１を圧縮することができ、さらにＰＥＴボトル５の回収効率を向上させることができる。
【００６９】
また、上記制御回路６１は、上記ＣＰＵ６３によって上記筐体３内に蓄積されたＰＥＴボトル５が最終設定量に到達したと判別されたとき、表示装置２３が回収に関する情報（後述の図１３に示す回収袋圧縮終了画像）を表示（報知）するように制御する。このようにすることにより、回収員等は、上記ＰＥＴボトル５を密閉し、上記真空ポンプ起動スイッチ２５を操作するタイミングを知ることができ、効率よく回収作業を行なうことができる。
【００７０】
つぎに、図７を参照して、制御回路６１のＣＰＵ６３の制御処理の一例について説明する。以下、「Ｓ」はステップを意味する。
【００７１】
まず、ＣＰＵ６３は、各扉が閉じているか否かを判別する（Ｓ１）。ここで、上面開閉センサ１３および前面開閉センサ２１によって各扉が閉じていると判別すると（Ｓ１で“ＹＥＳ”）、Ｓ２に進み、上面開閉センサ１３および前面開閉センサ２１によって各扉が閉じていないと判別すると（Ｓ１で“ＮＯ”）、ＰＥＴボトルの投入を受け付けて、各扉が閉じるまで、このまま待機する。
【００７２】
ついで、ＣＰＵ６３は、設定荷重に到達したか否かを判別する（Ｓ２）。ここで、図９に示すように、投入されたＰＥＴボトル５が蓄積し、荷重計測装置５７によって計測された荷重が設定荷重に到達したと判別すると（Ｓ２で“ＹＥＳ”）、Ｓ３に進み、荷重計測装置５７によって計測された荷重が設定荷重に到達していないと判別すると（Ｓ２で“ＮＯ”）、Ｓ１に戻り、ＰＥＴボトルの投入を受け付けて、各扉が閉じるまで待機する。
【００７３】
ステップ２において、設定荷重に到達すると（Ｓ２で“ＹＥＳ”）、ＣＰＵ６３は、後で図８を参照して説明する真空ポンプ起動停止処理を行なう（Ｓ３）。このステップ３の真空ポンプ起動停止処理の後、ＰＥＴボトル５は、図１０に示すように大気圧により圧縮される。ついで、ＣＰＵ６３は、最終設定荷重に到達したか否かを判別する（Ｓ４）。ここで、荷重計測装置５７によって計測された荷重が最終設定荷重に到達したと判別すると（Ｓ４で“ＹＥＳ”）、Ｓ５に進み、荷重計測装置５７によって計測された荷重が最終設定荷重に到達していないと判別すると（Ｓ４で“ＮＯ”）、Ｓ１に戻り、ＰＥＴボトル５の投入を受け付ける。ここで、一旦ＰＥＴボトル５が圧縮された後にさらに未圧縮状態のＰＥＴボトル５が投入されると、図１１に示すようにＰＥＴボトル５がさらに蓄積される。
【００７４】
ステップ４において、最終設定荷重に到達すると（Ｓ４で“ＹＥＳ”）、ＣＰＵ６３は、圧縮終了画像（図１３（Ａ））を表示する（Ｓ５）。この画像を表示することにより、使用者に対し、ＰＥＴボトル５の受け付けを終了したことを報知することができる。これにより、使用者がＰＥＴボトル５を投入しないようにすることができる。また、使用者に回収袋５１を密閉するように促すことができる。また、回収員等は、回収袋５１を密閉し、真空ポンプ起動スイッチ２５を操作するタイミングを知ることができ、効率よく回収作業を行なうことができる。
【００７５】
圧縮終了画像（図１３（Ａ））が表示され、回収袋５１が密閉されると、ＣＰＵ６３は、各扉が閉じているか否かを判別する（Ｓ６）。ここで、上面開閉センサ１３および前面開閉センサ２１によって各扉が閉じていると判別すると（Ｓ６で“ＹＥＳ”）、Ｓ７に進み、上面開閉センサ１３および前面開閉センサ２１によって各扉が閉じていないと判別すると（Ｓ６で“ＮＯ”）、各扉が閉じるまで、このまま待機する。
【００７６】
ステップ６において、各扉が閉じていると（Ｓ６で“ＹＥＳ”）、ＣＰＵ６３は、真空ポンプ起動操作画像（図１３（Ｂ））を表示する（Ｓ７）。この画像を表示することにより、使用者に対し、真空ポンプ起動スイッチ２５を操作するように促し、それに伴い回収袋５１を圧縮することを報知することができる。
【００７７】
真空ポンプ起動操作画像（図１３（Ｂ））が表示されると、ＣＰＵ６３は、真空ポンプ起動スイッチ２５が操作されたか否かを判別する（Ｓ８）。ここで、真空ポンプ起動スイッチ２５が操作されたと判別すると（Ｓ８で“ＹＥＳ”）、Ｓ９に進み、真空ポンプ起動スイッチ２５が操作されていないと判別すると（Ｓ８で“ＮＯ”）、真空ポンプ起動スイッチ２５が操作されるまで、このまま待機する。
【００７８】
ステップ８において、真空ポンプ起動スイッチ２５が操作されると（Ｓ８で“ＹＥＳ”）、ＣＰＵ６３は、後で図８を参照して説明する真空ポンプ起動停止処理を行なう（Ｓ９）。このステップ９の真空ポンプ起動停止処理の後、図１２に示すように圧縮されたＰＥＴボトル５を収容した回収袋５１が圧縮される。ついで、ＣＰＵ６３は、回収袋圧縮終了画像（図１３（Ｃ））を表示する（Ｓ１０）。この画像を表示することにより、使用者に対し、回収袋５１の圧縮が完了したことを報知するとともに、回収袋５１を取り替えるように促している。この後、Ｓ１に戻る。
【００７９】
つぎに、図８を参照して、真空ポンプ起動停止処理について説明する。
【００８０】
まず、ＣＰＵ６３は、真空ポンプ起動信号を気圧昇降装置５５に送信する（Ｓ２１）。ついで、ＣＰＵ６３は、真空度計測装置５９により計測された真空度が設定真空度に到達したか否かを判別する（Ｓ２２）。ここで、計測された真空度が設定真空度に到達したと判別すると（Ｓ２２で“ＹＥＳ”）、Ｓ２３に進み、計測された真空度が設定真空度に到達していないと判別すると（Ｓ２２で“ＮＯ”）、容器回収ボックス１内の真空度が設定真空度に到達するまで、このまま待機する。
【００８１】
ステップ２２において、真空度計測装置５９により計測された真空度が設定真空度に到達すると（Ｓ２２で“ＹＥＳ”）、ＣＰＵ６３は、真空ポンプ停止信号を気圧昇降装置５５に送信する（Ｓ２３）。ついで、ＣＰＵ６３は、大気弁開放信号を気圧昇降装置５５に送信し（Ｓ２４）、つぎのステップに進む。
【００８２】
このようにすることにより、筐体内の減圧と開放により一度に多くの逆止弁付容器を圧縮することができる。したがって、投入口に逆止弁を有する逆止弁付容器を投入するだけで自動的に逆止弁付容器が圧縮されるため、使用者が手や足などを使って一つ一つ圧縮することなく、手軽に容器を減容化し、廃棄やリサイクルに貢献することができる。また、容器は大気圧で押し潰され、逆止弁で空気の流入が阻止されていることから、潰れた状態からの復元が少なく、減容化の効果が持続する。そして、このように圧縮することで、廃棄またはリサイクルする容器の輸送効率や回収効率が向上し、回収作業にともなう人件費、リサイクルコスト、エネルギーを節約することができる。これにより、容器を保管するスペースを確保し長期保管もし易くなる。さらに、大気圧によって圧縮することができるため、複雑な機構を用いることなく容器を減容化して回収することができ、回収ボックスの小型化、低コスト化を実現することが可能となる。また、減圧する際に、容器に残った水分が気化されて排気されるため、容器を乾燥状態で保管することが可能となり、極めて衛生的である。
【実施例２】
【００８３】
つぎに、図１４を参照して、第２の実施例について説明する。
【００８４】
上記実施例１では、容器回収ボックス１は、収容箱２７に蓄積されたＰＥＴボトル５の荷重を計測する荷重計測装置５７を備え、荷重計測装置５７により計測された荷重が設定荷重に到達した場合に蓄積されたＰＥＴボトル５を圧縮するようにしているが、実施例２では、荷重計測装置５７に代えて、上記筐体３内に蓄積されたＰＥＴボトル５を検知する検知手段（いわゆるフォトセンサ）としての発光部８１と受光部８３を設け、その検知により、圧縮を開始するようになっている。それ以外は、上記第１の実施の形態と同様であり、同様の部分には同じ符号を付している。また、上記各実施例と同様の作用効果を奏する。
【００８５】
具体的には、図１４に示すように、発光部８１と受光部８３は、上記筐体３内で満杯になるＰＥＴボトル５を検知するように、上記筐体３内面の上部に設けられている。上記検知手段によって所定時間、ＰＥＴボトル５が検知されれば、圧縮を開始するようになっている。すなわち、ＣＰＵ６３は、上記検知手段によって所定時間、ＰＥＴボトル５が検知されたと判別したとき、上記真空ポンプ起動停止処理を行なう。
【００８６】
この実施例では、上記制御回路６１は、上記検知手段が上記筐体３内に蓄積されたＰＥＴボトル５を検知したときに、真空ポンプ６０ａの駆動制御を開始して上記筐体３内を減圧し、所定気圧に達したときに上記開放弁６０ｃを駆動制御して上記筐体３内を大気圧に開放する。このようにすることにより、上記制御回路６１は、検知手段（発光部８１および受光部８３）が上記筐体３内に蓄積されたＰＥＴボトル５を検知すると上記真空ポンプ６０ａを駆動制御して上記筐体３内を減圧し、所定気圧に達したときに上記開放弁６０ｃを駆動制御して上記筐体３内を大気圧に開放する。すなわち、上記検知手段の検知に応じて自動的に圧縮を開始して減容化することができるため、上記のように、筐体３内で満杯になるＰＥＴボトル５を検知するように上記検知手段が設けられていると、一度に多くのＰＥＴボトル５を圧縮することができる。
【実施例３】
【００８７】
つぎに、図１５を参照して、第３の実施例について説明する。
【００８８】
本実施例では、容器回収ボックス１内に回収袋５１を配置していない。このため、収容箱２７に蓄積されているＰＥＴボトル５は、最終設定荷重になった後、回収員等によって収容箱２７から直接回収されるようになっている。それ以外は、上記第１の実施の形態と同様であり、同様の部分には同じ符号を付している。また、上記各実施例と同様の作用効果を奏する。
【産業上の利用可能性】
【００８９】
廃棄またはリサイクルする容器に逆止弁を設け、大気圧により一度に大量の容器を圧縮することによって、公共の場等で減容化する用途に適用できる。
【図面の簡単な説明】
【００９０】
【図１】第１の実施例の回収ボックスを示す斜視図である。
【図２】逆止弁の一形態を示す断面図である。
【図３】回収ボックスを示す断面図である。
【図４】気圧昇降装置のシステム構成を示す図である。
【図５】吸引口５５ａと排気口５３との関係を示す図である。
【図６】上記回収ボックスのシステム構成図である。
【図７】上記回収ボックスの制御処理を示すフローチャートである。
【図８】上記回収ボックスの真空ポンプ起動停止処理を示すフローチャートである。
【図９】未圧縮状態のＰＥＴボトルが蓄積された状態を示す図である。
【図１０】ＰＥＴボトルが圧縮された状態を示す図である。
【図１１】ＰＥＴボトルが圧縮された後にさらに未圧縮状態のＰＥＴボトルが投入されている状態を示す図である。
【図１２】圧縮されたＰＥＴボトルを収容した回収袋が圧縮された状態を示す図である。
【図１３】表示装置の表示例を示す図である。
【図１４】第２の実施例の回収ボックスを示す断面図である。
【図１５】第３の実施例の回収ボックスを示す断面図である。
【符号の説明】
【００９１】
１      容器回収ボックス
３      筐体
５      ＰＥＴボトル
７      投入口
９      気密ゴム
１１    上面扉
１３    上面開閉センサ
１５    取出口
１７    気密ゴム
１９    前面扉
２１    前面開閉センサ
２３    表示装置
２５    真空ポンプ起動スイッチ
２７    収容箱
２８    逆止弁キャップ
２９    通路
３１    ヒンジ蓋
３３    栓
３５    蓋部材
３７    抜止部材
３９    支持部材
４１    弁体
４３    孔
４５    弾性部材
４７    孔
５１    回収袋
５２    ファスナ
５３    排気口
５３ａ  遮断部材
５５    気圧昇降装置
５５ａ  吸引口
５５ｂ  排出吸引口
５７    荷重計測装置
５９    真空度計測装置
６０ａ  真空ポンプ
６０ｂ  開閉弁
６０ｃ  開放弁
６１    制御回路
６３    ＣＰＵ
６５    ＲＯＭ
６７    ＲＡＭ
７１    荷重設定スイッチ
７３    真空度設定スイッチ
８１    発光部
８３    受光部
【図１】
2005060065.tif 000003
【図２】
2005060065.tif 000004
【図３】
2005060065.tif 000005
【図４】
2005060065.tif 000006
【図５】
2005060065.tif 000007
【図６】
2005060065.tif 000008
【図７】
2005060065.tif 000009
【図８】
2005060065.tif 000010
【図９】
2005060065.tif 000011
【図１０】
2005060065.tif 000012
【図１１】
2005060065.tif 000013
【図１２】
2005060065.tif 000014
【図１３】
2005060065.tif 000015
【図１４】
2005060065.tif 000016
【図１５】
2005060065.tif 000017